(57)【特許請求の範囲】
【請求項１】
ドラム缶と、前記ドラム缶に収容される熱可塑性樹脂製の内袋とを備えてなり、前記内袋に硬化剤を収納可能な複合容器であって、
前記内袋には、硬化剤を内袋内に収納するための注入部と、供給配管に接続可能なワンタッチカップラー付吸引用ノズルを一体的に具備する取り付け部とが設けられており、
前記吸引用ノズルは、供給配管に接続可能なワンタッチカップラーと開閉バルブと前記内袋の取り付け部に挿入されるノズル部とを具備するものであることを特徴とする硬化剤収納用複合容器。
【請求項２】
請求項１に記載の硬化剤収納用複合容器において、硬化剤が充填された複合容器に一体的に取り付けられた吸引用ノズルのワンタッチカップラーと塗装機構に硬化剤を供給するための供給配管とを接続せしめてから前記開閉バルブを開き、塗装機構へ硬化剤が吸い出されることを特徴とする硬化剤の供給システム。
【発明の詳細な説明】
【技術分野】
【０００１】
本発明は、硬化剤収納用複合容器及びこれを用いた硬化剤の供給システムに関する。
【背景技術】
【０００２】
従来、塗料等の腐食性の強い液体の保管や輸送、供給はドラム缶に内袋を設けて、この内袋に液体を収納することが行なわれている。例えば特許文献１では内容液が輸送時に漏れてドラム缶が腐食しないように熱可塑性樹脂シートを複数枚重ねて内袋とすることが提案されている。また特許文献２にはポリエチレン製の内袋を用いることにより塗料中への異物混入や静電気による引火を防止することが提案されている。
【先行技術文献】
【特許文献】
【０００３】
【特許文献１】特開２００１−２１９９６５号公報
【特許文献２】特開２０００−３０９３７３号公報
【発明の概要】
【発明が解決しようとする課題】
【０００４】
近年、２液型塗料のベース塗料及び硬化剤を夫々別の塗料タンク内に貯蔵し、塗装直前或いは塗装時にベース塗料及び硬化剤を供給、混合して塗装するシステムが採用されているが、一般的にポリソシアネート系の硬化剤は湿気によって増粘するため、上記システムでは完全密閉であることが求められている。しかしながら完全密閉での硬化剤供給では、専用塗料タンクが必要であり、ランニングコストが高くなるという問題があった。
【０００５】
本発明の目的は、完全密閉での供給システムに組み込みやすく、且つ安価に使用することができる硬化剤収納用複合容器、硬化剤供給装置及びこれを用いた硬化剤の供給方法を提供することである。
【課題を解決するための手段】
【０００６】
本発明は、
１． ドラム缶と、前記ドラム缶に収容される熱可塑性樹脂製の内袋とを備えてなり、前記内袋に硬化剤を収納可能な複合容器であって、前記内袋には、硬化剤を内袋内に収納するための注入部と、供給配管に接続可能なワンタッチカップラー付吸引用ノズルを一体的に具備する取り付け部とが設けられており、前記吸引用ノズルは、供給配管に接続可能なワンタッチカップラーと開閉バルブと前記内袋の取り付け部に挿入されるノズル部とを具備するものであることを特徴とする硬化剤収納用複合容器、
２．１項に記載の硬化剤収納用複合容器において、硬化剤が充填された複合容器に一体的に取り付けられた吸引用ノズルのワンタッチカップラーと塗装機構に硬化剤を供給するための供給配管とを接続せしめてから前記開閉バルブを開き、塗装機構へ硬化剤が吸い出されることを特徴とする硬化剤の供給システム、
を提供するものである。
【発明の効果】
【０００７】
本発明の硬化剤収納用複合容器及び硬化剤供給装置によれば、完全密閉での供給システムに組み込みやすく、また内袋を交換することでドラム缶の簡単な洗浄で済み、ランニングコストを安く抑えることが可能である。
【図面の簡単な説明】
【０００８】
【図１】本発明に係る硬化剤収納用複合容器及び硬化剤供給装置の一実施態様を示す概念図である。
【図２】本発明に係る硬化剤収納用複合容器の別の一実施態様を示す概念図である。
【図３】図１及び図２の複合容器から硬化剤が吸い出されて塗装機構へ供給される一実施態様を示す概略図である。
【発明を実施するための形態】
【０００９】
本発明に係る硬化剤収納用複合容器及び硬化剤供給装置について、好適な実施形態を例として、以下に図１、図２及び図３を参照しつつ説明する。
【００１０】
図１は本発明に係る硬化剤収納用複合容器及び硬化剤供給装置の一実施態様を示す概念図であり、天板１によって密閉されるドラム缶２と、前記ドラム缶２に収容される熱可塑性樹脂製の内袋３とを備えてなり、前記内袋３には、硬化剤４を内袋３内に収納するための注入部５と、供給配管２０に接続可能なワンタッチカップラー付吸引用ノズル７を取り付けるための取り付け部６とを設けている。また図２は本発明に係る硬化剤収納用複合容器の別の一実施態様を示す概念図であり、ドラム缶２と、前記ドラム缶２に収容される熱可塑性樹脂製の内袋３とを備えてなり、前記内袋３には、注入部５と、供給配管２０に接続可能なワンタッチカップラー付吸引ノズルを一体的に具備する取り付け部６とを設けている。
【００１１】
前記ドラム缶２は、特に制限されることなく従来公知の塗料用の密閉可能な金属製のドラム缶を使用できる。内容物の保管や輸送時には天板１によって密閉され、使用時には天板１を取り外す。
【００１２】
前記ドラム缶２内には内袋３が収容される。内袋３を構成する熱可塑性樹脂としては、例えばポリエチレン、ポリプロピレン等のポリオレフィン、ポリエチレンテレフタレート等のポリエステル、ナイロン等のポリアミドなどを使用することができる。これらのうち柔軟性や耐溶剤性、耐薬品性の観点からポリエチレンが好適である。
【００１３】
内袋３の上部外周には、必要に応じて特開２００１−２１９９６５号公報に示されるようなエプロン部（図示せず）を熱溶着させて設けていても良い。ドラム缶２内に内袋３を収容する際にエプロン部をドラム缶２の上部開口縁部と天板１によって挟持せしめることで内容物の保管や輸送時に内袋３を起立した状態で固定でき、また使用当初の塗装機構への硬化剤の吸い出しを安定して行なうことができる。
【００１４】
内袋３の上部に設けられた注入部５から硬化剤４を内袋３内に充填する方法は、特に制限なく従来公知の方法を採用することができる。
【００１５】
内袋３の上部には、また供給配管２０に接続可能なワンタッチカップラー付吸引用ノズル７を取り付けるための取り付け部６が設けられている。図１において取り付け部６は、密閉可能とするため、通常、ネジ状であり、ネジ栓付キャップにより開閉可能とすることができ、また図２においては吸引用ノズルが一体的に具備されている。特に図２のように吸引用ノズルが一体的に取り付けられることでより高度に密閉を保ったまま供給配管２０に接続が可能となる。図２の複合容器では内袋３に吸引用ノズルが一体的に取り付けられた状態で天板１によって蓋をして保管や輸送が行なわれる。
【００１６】
吸引用ノズル７は、供給配管２０に接続可能なワンタッチカップラー１１と開閉バルブ８と前記内袋３に挿入されるノズル部９とを具備する。ワンタッチカップラー１１は、供給配管２０の先端に設けられた接続部２１と連結可能である。図１ではノズル部９の上部には、内袋３の取り付け部６と連結可能なネジ状部１０が設けられており、これによってワンタッチカップラー７を内袋３に密閉を保った状態で装着することができる。ノズル部９の長さは、内袋３の大きさに応じて適宜選択することができる。
【００１７】
上記図１の複合容器から硬化剤４の供給は、図３のように、硬化剤４が充填された内袋３の取り付け部６に、前記ワンタッチカップラー付吸引用ノズル７のノズル部９を挿入して取り付けて、前記ワンタッチカップラー１１と供給配管２０の接続部２１を連結させることで接続せしめてから前記開閉バルブ８を開き、供給配管２０を介して塗装機構（図示せず）へ硬化剤４が吸い出されることによって行なわれる。また図２の複合容器からの硬化剤４の供給は、複合容器に一体的に取り付けられた吸引用ノズルのワンタッチカップラー１１と供給配管２０の接続部２１とを図３のように接続せしめてから前記開閉バルブ８を開き、供給配管２０を介して塗装機構（図示せず）へ硬化剤４が吸い出されることによって行なわれる。
【００１８】
硬化剤４の吸引は塗装機構に設けられるポンプ（図示せず）によって行なわれる。硬化剤４の吸引が進むにつれて、内袋３がしぼんでいく。硬化剤４の吸引が完了したら、ワンタッチカップラー１１と供給配管２０の接続部２１の連結を解除し、吸引用ノズルを取り外して、内袋３のみを処分することができる。
【符号の説明】
【００１９】
以下、〔図１〕〜〔図３〕における符号を説明する。
１  天板
２  ドラム缶
３  内袋
４  硬化剤
５  注入部
６  取り付け部
７  ワンタッチカップラー付吸引用ノズル
８  開閉バルブ
９  ノズル部
１１  ワンタッチカップラー
２０  供給配管
【図１】
0005818301.tif 000002
【図２】
0005818301.tif 000003
【図３】
0005818301.tif 000004